(57)【特許請求の範囲】
【請求項１】
２個の壁式下階建物ユニットの外縁の少なくとも一部に壁を備えない壁無し部を互いに連続する同一直線上に並置し、両下階建物ユニットのそれぞれにおける壁無し部の側傍に立設されている壁間に梁を掛け渡し、この梁にて上階建物ユニットを支持してなるユニット建物の上下階接合構造において、梁の両端部で、梁から下方に突出する連結ボルトを、下階建物ユニットの壁構造体に固定した引き寄せ金物に固定し、
梁から上方に突出する連結ボルトを、上階建物ユニットの床構造体の内部に格納された床金物に緊結してなることを特徴とするユニット建物の上下階接合構造。
【請求項２】
前記床金物が、前記上階建物ユニットの壁構造体に固定した引き寄せ金物に緊結されるボルトのための上支持部と、前記梁に設けた連結ボルトのための下支持部とを備えてなる請求項１記載のユニット建物の上下階接合構造。
【発明の詳細な説明】
【０００１】
【発明の属する技術分野】
本発明はユニット建物の上下階接合構造に関する。
【０００２】
【従来の技術】
従来、下階に壁の無い大きな空間を取れるようにした壁式建物ユニットからなるユニット建物として、特開平8-311999号公報に記載の如く、２個の壁式下階建物ユニットの外縁の少なくとも一部に壁を備えない壁無し部を互いに連続する同一直線上に並置し、両下階建物ユニットのそれぞれにおける壁無し部の側傍に立設されている壁間に梁を掛け渡し、この梁にて上階建物ユニットを支持してなるものがある。
【０００３】
【発明が解決しようとする課題】
上記ユニット建物では、地震発生時等に、上階建物ユニットを下階建物ユニットから引き剥がそうとする引き抜き力に対し、梁と下階建物ユニット、梁と上階建物ユニットの接合強度を高める必要がある。
【０００４】
本発明の課題は、２個の下階建物ユニットそれぞれの壁無し部の側傍の壁間に掛け渡した梁にて上階建物ユニットを支持するに際し、梁を介する上階建物ユニットと下階建物ユニットの接合強度を高め、建物の引き抜き耐力を向上することにある。
【０００５】
【課題を解決するための手段】
請求項１に記載の本発明は、２個の壁式下階建物ユニットの外縁の少なくとも一部に壁を備えない壁無し部を互いに連続する同一直線上に並置し、両下階建物ユニットのそれぞれにおける壁無し部の側傍に立設されている壁間に梁を掛け渡し、この梁にて上階建物ユニットを支持してなるユニット建物の上下階接合構造において、梁の両端部で、梁から下方に突出する連結ボルトを、下階建物ユニットの壁構造体に固定した引き寄せ金物に固定し、梁から上方に突出する連結ボルトを、上階建物ユニットの床構造体の内部に格納された床金物に緊結してなるようにしたものである。
【０００６】
請求項２に記載の本発明は、請求項１に記載の本発明において更に、前記床金物が、前記上階建物ユニットの壁構造体に固定した引き寄せ金物に緊結されるボルトのための上支持部と、前記梁に設けた連結ボルトのための下支持部とを備えてなるようにしたものである。
【０００７】
【作用】
請求項１の発明によれば下記▲１▼の作用がある。
▲１▼梁は両端部で下方に突出する連結ボルトを下階建物ユニットの引き寄せ金物に固定され、梁と下階建物ユニットの接合強度を高められる。また、梁は上方に突出する連結ボルトを、上階建物ユニットの床金物に緊結され、梁と上階建物ユニットの接合強度を高められる。従って、梁を介する上階建物ユニットと下階建物ユニットの接合強度を高め、建物の引き抜き耐力を向上できる。
【０００８】
請求項２の発明によれば下記▲２▼の作用がある。
▲２▼上階建物ユニットの床構造体に格納される床金物が、上階建物ユニットの壁構造体に固定した引き寄せ金物に緊結されるボルトのための上支持部と、梁に設けた連結ボルトのための下支持部とを併せ備えるようにした。従って、単一の床金物の使用により、梁と上階建物ユニットの接合強度を向上できる。
【０００９】
【発明の実施の形態】
図１はユニット建物を示す模式断面図、図２はユニット建物の２階部分を示す斜視図、図３は図１のIII部を示す模式断面図、図４は図１のIV部を示す模式断面図、図５は図１のV部を示す模式断面図、図６はＬ字状下階建物ユニットを示し、（Ａ）は斜視図、（Ｂ）は引き寄せ金物を示す斜視図、図７は小壁付Ｌ字状下階建物ユニットを示す斜視図、図８は梁への連結ボルトの設置過程を示し、（Ａ）は梁の一端部を示す斜視図、（Ｂ）は梁の他端部を示す斜視図、図９は梁の据付過程を示す正面図、図１０は梁の一端部の下階建物ユニットへの接合過程を示し、（Ａ）は連結ボルトの挿入状態を示す斜視図、（Ｂ）は連結ボルトの螺着状態を示す側面図、図１１は梁の下階建物ユニットへの締結状態を示す斜視図、図１２は下階建物ユニットへの梁の接合状態を示す斜視図、図１３は上階建物ユニットの引き寄せ金物を示し、（Ａ）は斜視図、（Ｂ）は側面図、図１４は引き寄せ金物を示し、（Ａ）は正面図、（Ｂ）は端面図である。
【００１０】
図１のユニット建物１は、複数の１階建物ユニット１１により１階部分を、１階建物ユニット１１の上に搭載した複数の２階建物ユニット１２により２階部分を、２階建物ユニット１２の上に搭載した複数の３階建物ユニット１３により３階部分を構成したものである。このとき、建物ユニット１１〜１３は、基本的には、床パネル１４と壁パネル１５とからなる壁式建物ユニットであり、床パネル１４の外縁に壁パネル１５を立設して構成されている。
【００１１】
ここで、ユニット建物１の２階部分は、図２に示す如く、４個の建物ユニット１２Ａ〜１２Ｄからなり、建物ユニット１２Ａ（１２Ｃも同じ）は床パネル１４の相交差する２つの外縁に壁パネル１５、１５を立設してなるＬ字状建物ユニット（図６）であり、建物ユニット１２Ｂ（１２Ｄも同じ）は床パネル１４の相交差する２つの外縁に壁パネル１５、１５を立設するとともに１つの外縁の一部にだけ小壁１６を立設してなる小壁付Ｌ字状建物ユニット（図７）である。そして、２個の建物ユニット１２Ａと建物ユニット１２Ｂを、建物ユニット１２Ａの外縁の壁パネル１５を備えない壁無し部と、建物ユニット１２Ｂの外縁の一部にだけ小壁１６を備えてその余に壁パネル１５を備えない壁無し部とが互いに連続する同一直線上に並置し、両建物ユニット１２Ａ、１２Ｂのそれぞれにおける壁無し部の側傍に立設されている壁パネル１５と小壁１６の間に梁１７を掛け渡し、この梁１７にて３階の建物ユニット１３（建物ユニット１２Ａ、１２Ｂに対応する建物ユニット１３Ａ、１３Ｂ）を支持することとしている。また、２個の建物ユニット１２Ｃと１２Ｄも、建物ユニット１２Ａと建物ユニット１２Ｂの上述の組合せと同様に、両建物ユニット１２Ｃ、１２Ｄのそれぞれにおける壁無し部の側傍に立設されている壁パネル１５と小壁１６の間に梁１８を掛け渡し、この梁１８にて３階の建物ユニット１３（建物ユニット１２Ｃ、１２Ｄに対応する建物ユニット１３Ｃ、１３Ｄ（不図示））を支持することとしている。
【００１２】
即ち、ユニット建物１は、２階部分の建物ユニット１２Ａ〜１２Ｄによって壁パネル１５に遮られない大きな居住空間を形成しながら、それらの建物ユニット１２Ａと建物ユニット１２Ｂ、建物ユニット１２Ｃと建物ユニット１２Ｄにそれぞれ掛け渡した梁１７、１８によって３階部分の建物ユニット１３（１３Ａ〜１３Ｄ）を支持できる。
【００１３】
しかるに、ユニット建物１にあっては、梁１７、１８を介する３階建物ユニット１３（以下、上階建物ユニット）と２階建物ユニット１２（以下、下階建物ユニット）の接合強度を高め、ユニット建物１の引き抜き耐力を向上するため、(A) 梁１７と下階建物ユニット１２Ａ、１２Ｂとの接合構造（梁１８と下階建物ユニット１２Ｃ、１２Ｄとの接合構造も同じであるためその説明は省略する）、(B) 梁１７と上階建物ユニット１３Ａ、１３Ｂとの接合構造（梁１８と上階建物ユニット１３Ｃ、１３Ｄとの接合構造も同じであるためその説明は省略する）を以下の如くに備える。
【００１４】
(A) 梁１７と下階建物ユニット１２Ａ、１２Ｂとの接合構造（図３、図５、図６、図８〜図１２）
梁１７は、一端部に設けた連結ボルト２１を下階建物ユニット１２Ａの壁パネル１５に固定した引き寄せ金物２２に固定し（図３）、他端部に設けた連結ボルト３１を下階建物ユニット１２Ｂの小壁１６に固定した引き寄せ金物３２に固定する（図５）。
【００１５】
連結ボルト２１は、図８（Ａ）示す如く、梁１７の一端部に設けたボルト挿通孔にハンマー等で上方から挿入され、梁１７の他端から先端ねじ部２１Ａを突出させてある。連結ボルト２１は、上端側中間部に梁１７への取付位置の位置決め用フランジ２１Ｃを備えるとともに、基端ねじ部２１Ｂの端面に工具係入溝を備える。
【００１６】
梁１７に設けた連結ボルト２１の先端ねじ部２１Ａが締結される引き寄せ金物２２は、図３、図６（Ｂ）に示す如く、上階建物ユニット１２Ａの壁パネル１５の縦枠１５Ａにボルト止め又は釘打ちにて固定される平板２２Ａと、平板２２Ａに結合される四角枠状の支持フレーム２２Ｂの上面材である支持板２２Ｃとからなり、支持板２２Ｃに梁１７の下端面を載置可能とするとともに、連結ボルト２１の先端ねじ部２１Ａが螺着されるねじ孔２２Ｄを備える。引き寄せ金物２２は、上階建物ユニット１２Ａのための吊り具２３が着脱されるねじ孔２２Ｅも備える（図６（Ｂ））。
【００１７】
連結ボルト３１は、図８（Ｂ）に示す如く、梁１７の他端部に設けたボルト挿通孔に、ばね座金３３、平座金３４を伴って、ハンマー等で挿入され、梁１７の下端から先端ねじ部３１Ａを突出させてある。
【００１８】
梁１７に設けた連結ボルト３１の先端ねじ部３１Ａが締結される引き寄せ金物３２は、図５に示す如く、下階建物ユニット１２Ｂの小壁１６の縦枠１６Ａにボルト止め又は釘打ちにて固定される平板３２Ａと、平板３２Ａに結合される四角枠状の支持フレーム３２Ｂの上面材である支持板３２Ｃとからなり、支持板３２Ｃに梁１７の下端面を載置可能とするとともに、連結ボルト３１の先端ねじ部３１Ａが螺着されるねじ孔３２Ｄを備える。
【００１９】
従って、梁１７は下階建物ユニット１２Ａ、１２Ｂに以下の如くに接合される。
(1) 下階建物ユニット１２Ａ、１２Ｂの工場生産段階で、下階建物ユニット１２Ａの壁パネル１５に引き寄せ金物２２を固定し、下階建物ユニット１２Ｂの小壁１６に引き寄せ金物３２を固定しておく。
【００２０】
(2) 梁１７の両端部のそれぞれに連結ボルト２１、３１のそれぞれを設けておく。
【００２１】
(3) 下階建物ユニット１２Ａ、１２Ｂを建築現場にて据付けたのち、梁１７を下階建物ユニット１２Ａの引き寄せ金物２２の支持板２２Ｃと下階建物ユニット１２Ｂの引き寄せ金物３２の支持板３２Ｃの上に吊りおろす（図９）。
【００２２】
(4) 梁１７の一端部で、梁の下端面に突出している連結ボルト２１の先端ねじ部２１Ａを引き寄せ金物２２のねじ孔２２Ｄに併せ（図１０（Ａ））、エアドライバ２４等を連結ボルト２１の上端面の工具係入溝に係合させて該連結ボルト２１の先端ねじ部２１Ａを引き寄せ金物２２のねじ孔２２Ｄに締結する（図１０（Ｂ））、（図１１）。
【００２３】
(5) 梁１７の他端部で、梁１７の下端面に突出している連結ボルト３１の先端ねじ部３１Ａを引き寄せ金物３２のねじ孔３２Ｄに併せ、スパナ３５等で該連結ボルト３１の先端ねじ部３１Ａを引き寄せ金物３２のねじ孔３２Ｄに締結する（図１１）。
【００２４】
(6) 梁１７の一端部で、梁１７を下階建物ユニット１２Ａの壁パネル１５に釘３６で固定し、梁１７の他端部で、梁１７を下階建物ユニット１２Ｂの小壁１６に釘３７で固定し（図１２）、梁１７を下階建物ユニット１２Ａ、１２Ｂに接合完了とする。
【００２５】
(B) 梁１７と上階建物ユニット１３Ａ、１３Ｂとの接合構造（図３、図４、図１３、図１４）
(B-1) 梁１７と上階建物ユニット１３Ａとの接合構造（図３、図４、図１３）梁１７は、前述(A) で上階建物ユニット１２Ａとの接合のためにその一端部に設けた連結ボルト２１を上階建物ユニット１３Ａの床パネル１４の内部に格納された床金物４０Ａに緊結し（図３）、中間部に設けた座金付連結ボルト５１を上階建物ユニット１３Ａの床パネル１４の内部に格納した床金物４０Ｂ（床金物４０Ａと同じ）に緊結する（図４）。
【００２６】
まず、上階建物ユニット１３Ａの床パネル１４への床金物４０Ａ、４０Ｂの格納構造について説明する。
床金物４０Ａは、床パネル１４の床根太１４Ａに釘打ち仮固定される取付板４１と、取付板４１の上端部に溶接されて床パネル１４の床面材１４Ｂの下方に位置する上支持板４２と、取付板４１の下端部に溶接されて床パネル１４の頭つなぎ１４Ｃに載置される下支持板４３とを有する。
【００２７】
このとき、床金物４０Ａの上支持板４２には、上階建物ユニット１３Ａの壁パネル１５に固定した引き寄せ金物６０に緊結されたボルト７０の先端部が挿通され、このボルト７０にナット７１を螺着することにて、床金物４０Ａと引き寄せ金物６０とがボルト７０を介して連結される。尚、引き寄せ金物６０は、上階建物ユニット１３Ａの壁パネル１５の縦枠１５Ａにボルト止め又は釘打ちにて固定される平板６１と、平板６１の他端部側の表面に溶接されたＵ字断面状の係止板６２とからなる。ボルト７０は、係止板６２の内部に挿通され、偏平頭部７０Ａを平板６１に接して回り止めされる状態で、先端ねじ部を床パネル１４の床面材１４Ｂから床金物４０Ａの上支持板４２に挿通され、上述のナット７１を螺着される。
【００２８】
床金物４０Ｂも、床金物４０Ａと同一構成であり、上階建物ユニット１３Ａの壁パネル１５に固定した引き寄せ金物６０にボルト７０を介して連結される。
【００２９】
座金付連結ボルト５１は、梁１７の中間部で、上階建物ユニット１３Ａの壁パネル１５と上階建物ユニット１３Ｂの壁パネル１５のそれぞれに対応する２位置に設けたボルト挿通孔にハンマー等で下方から挿入され、梁１７の上端からねじ部を突出させてある。
【００３０】
従って、上階建物ユニット１３Ａは梁１７の一端部と中間部に以下の如くに接合される。
(1) 上階建物ユニット１３Ａの工場生産段階で、上階建物ユニット１３Ａの床パネル１４に床金物４０Ａ、４０Ｂを固定し、相対する壁パネル１５、１５に固定した引き寄せ金物６０、６０のそれぞれをボルト７０、７０によりそれらの床金物４０Ａ、４０Ｂに締結する。
【００３１】
(2) 上階建物ユニット１３Ａを建築現場において、下階建物ユニット１２Ａの上に据付ける。このとき、上階建物ユニット１３Ａは下階建物ユニット１２Ａ、１２Ｂに前述(A) により接合してある梁１７の上に載置される。
【００３２】
(3) 梁１７の一端部で、上階建物ユニット１３Ａの床パネル１４の頭つなぎ１４Ｃ、床金物４０Ａの下支持板４３に設けてあるボルト挿通孔１４Ｄを、梁１７の上端面に突出している連結ボルト２１の基端ねじ部２１Ｂに併せ、該連結ボルト２１の基端ねじ部２１Ｂにナット４４を締結する（図３）。
【００３３】
(4) 梁１７の中間部でも、上階建物ユニット１３Ａの床パネル１４の頭つなぎ１４Ｃ、床金物４０Ｂの下支持板４３に設けてあるボルト挿通孔１４Ｄを、上階建物ユニット１３Ａに対応して梁１７の中間部に設けてある連結ボルト５１のねじ部に併せ、このねじ部にナット４５を締結する（図４）。
【００３４】
尚、梁１７の上端には、梁１７に設けた横孔に嵌着されているピン８１に植設されたボルト８２が設けられており、上階建物ユニット１３Ａの床パネル１４の頭つなぎ１４Ｃはボルト８２の先端部に挿通され、ボルト８２に螺着されるナット８４により脚付座金８３を頭つなぎ１４Ｃに締結することにて、上階建物ユニット１３Ａを梁１７に対する水平方向に固定可能としている。
【００３５】
(B-2) 梁１７と上階建物ユニット１３Ｂとの接合構造（図４）
梁１７は、中間部に設けた座金付連結ボルト５１を上階建物ユニット１３Ｂの床パネル１４の内部に格納した床金物４０Ｃに緊結する（図４）。
【００３６】
床金物４０Ｃは、前述(B-1) の床金物４０Ａと同一構成であり、前述(B-1) におけると同様に、上階建物ユニット１３Ｂの壁パネル１５に固定した引き寄せ金物６０にボルト７０を介して連結される。
【００３７】
従って、上階建物ユニット１３Ｂは梁１７の中間部に以下の如くに接合される。
(1) 上階建物ユニット１３Ｂの工場生産段階で、上階建物ユニット１３Ｂの床パネル１４に床金物４０Ｃを固定し、壁パネル１５に固定した引き寄せ金物６０をボルト７０により床金物４０Ｃに締結する。
【００３８】
(2) 上階建物ユニット１３Ｂを建築現場にて、下階建物ユニット１２Ｂの上に据付ける。このとき、上階建物ユニット１３Ｂの一部は下階建物ユニット１２Ａ、１２Ｂに前述(A) により接合されている梁１７の上に載置される。
【００３９】
(3) 梁１７の中間部で、上階建物ユニット１３Ｂの床パネル１４の頭つなぎ１４Ｃ、床金物４０Ｃの下支持板４３に設けてあるボルト挿通孔１４Ｄを、上階建物ユニット１３Ｂに対応して梁１７の中間部に設けてある連結ボルト５１のねじ部に併せ、このねじ部にナット４５を締結する（図４）。
【００４０】
尚、梁１７の上端部には、梁１７に設けた横孔に嵌着されているピン８１に植設されたボルト８２が設けられており、上階建物ユニット１３Ｂの床パネル１４の頭つなぎ１４Ｃはボルト８２の先端部に挿通され、ボルト８２に螺着されるナット８４により脚付座金８３を頭つなぎ１４Ｃに締結することにて、上階建物ユニット１３Ｂを梁１７に対する水平方向に固定可能としている。
【００４１】
従って、本実施形態によれば以下の作用がある。
▲１▼梁１７は両端部の連結ボルト２１、３１を下階建物ユニット１２Ａ、１２Ｂの引き寄せ金物２２、３２に固定され、梁１７と下階建物ユニット１２Ａ、１２Ｂの接合強度を高められる。また、梁１７は一端部の連結ボルト２１と、中間部の連結ボルト５１を、上階建物ユニット１３Ａ、１３Ｂの床金物４０Ａ、４０Ｂ、４０Ｃに緊結され、梁１７と上階建物ユニット１３Ａ、１３Ｂの接合強度を高められる。従って、梁１７を介する上階建物ユニット１３Ａ、１３Ｂと下階建物ユニット１２Ａ、１２Ｂの接合強度を高め、建物の引き抜き耐力を向上できる。
【００４２】
▲２▼梁１７の一端部で、下階建物ユニット１２Ａの引き寄せ金物２２に固定した連結ボルト２１と、上階建物ユニット１３Ａの床金物４０Ａに緊結される連結ボルト２１とを、単一の連結ボルト２１にて一本化した。従って、それらの連結ボルトを別物とする場合に比して、構成を簡素にしながら、梁１７を挟む上階建物ユニット１３Ａ、１３Ｂと下階建物ユニット１２Ａ、１２Ｂの接合強度を一層向上できる。
【００４３】
▲３▼上階建物ユニット１３Ａ、１３Ｂの床パネル１４に格納される床金物４０Ａ〜４０Ｃが、上階建物ユニット１３Ａ、１３Ｂの壁パネル１５に固定した引き寄せ金物６０に緊結されるボルト７０のための上支持板４２と、梁１７に設けた連結ボルト２１、５１のための下支持板４３とを併せ備えるようにした。従って、単一の床金物４０Ａ〜４０Ｃの使用により、梁１７と上階建物ユニット１３Ａ、１３Ｂの接合強度を向上できる。
【００４４】
以上、本発明の実施の形態を図面により詳述したが、本発明の具体的な構成はこの実施の形態に限られるものではなく、本発明の要旨を逸脱しない範囲の設計の変更等があっても本発明に含まれる。例えば、下階建物ユニットや上階建物ユニットで、引き寄せ金物が固定される壁構造体は、壁パネルの縦枠に限らず、柱であっても良い。
【００４５】
また、本発明においては、梁の両端部で、梁に設けた連結ボルトを、上階建物ユニットの床構造体の内部に格納された床金物に緊結しても良い。
また、本発明においては、梁が掛け渡される２個の下階建物ユニットが、共に、外縁の全部を壁無し部としても良い。また、梁が掛け渡される２個の下階建物ユニットが、共に、外縁の一部だけを壁無し部としても良い。
【００４６】
【発明の効果】
以上のように本発明によれば、２個の下階建物ユニットそれぞれの壁無し部の側傍の壁間に掛け渡した梁にて上階建物ユニットを支持するに際し、梁を介する上階建物ユニットと下階建物ユニットの接合強度を高め、建物の引き抜き耐力を向上することができる。
【図面の簡単な説明】
【図１】図１はユニット建物を示す模式断面図である。
【図２】図２はユニット建物の２階部分を示す斜視図である。
【図３】図３は図１のIII部を示す模式断面図である。
【図４】図４は図１のIV部を示す模式断面図である。
【図５】図５は図１のV部を示す模式断面図である。
【図６】図６はＬ字状下階建物ユニットを示し、（Ａ）は斜視図、（Ｂ）は引き寄せ金物を示す斜視図である。
【図７】図７は小壁付Ｌ字状下階建物ユニットを示す斜視図である。
【図８】図８は梁への連結ボルトの設置過程を示し、（Ａ）は梁の一端部を示す斜視図、（Ｂ）は梁の他端部を示す斜視図である。
【図９】図９は梁の据付過程を示す正面図である。
【図１０】図１０は梁の一端部の下階建物ユニットへの接合過程を示し、（Ａ）は連結ボルトの挿入状態を示す斜視図、（Ｂ）は連結ボルトの螺着状態を示す側面図である。
【図１１】図１１は梁の下階建物ユニットへの締結状態を示す斜視図である。
【図１２】図１２は下階建物ユニットへの梁の接合状態を示す斜視図である。
【図１３】図１３は上階建物ユニットの引き寄せ金物を示し、（Ａ）は斜視図、（Ｂ）は側面図である。
【図１４】図１４は引き寄せ金物を示し、（Ａ）は正面図、（Ｂ）は端面図である。
【符号の説明】
１  ユニット建物
１２Ａ、１２Ｂ  下階建物ユニット
１３Ａ、１３Ｂ  上階建物ユニット
１４  床パネル（床構造体）
１５  壁パネル（壁構造体）
１６  小壁
１７  梁
２１、３１、５１  連結ボルト
２２、３２  引き寄せ金物
４０Ａ〜４０Ｃ  床金物
４２  上支持板（上支持部）
４３  下支持板（下支持部）
６０  引き寄せ金物
７０  ボルト
【図１】
0004101987.tif 000002
【図２】
0004101987.tif 000003
【図３】
0004101987.tif 000004
【図４】
0004101987.tif 000005
【図５】
0004101987.tif 000006
【図６】
0004101987.tif 000007
【図７】
0004101987.tif 000008
【図８】
0004101987.tif 000009
【図９】
0004101987.tif 000010
【図１０】
0004101987.tif 000011
【図１１】
0004101987.tif 000012
【図１２】
0004101987.tif 000013
【図１３】
0004101987.tif 000014
【図１４】
0004101987.tif 000015